(57)【要約】【課題】利用者が色分離画像を編集するまでの時間を短縮する。【解決手段】第１の画像に基づいて第１色で印刷すると共に、第２の画像に基づいて第２色で印刷する２色刷りの孔版印刷装置２と接続され、原稿画像に基づいて、第１の画像と第２の画像とを重ね合わせた色分離画像を生成する画像処理装置１であって、原稿画像のうちいずれか１つが選択された場合に、この選択された原稿画像に基づいて、色分離画像と色分離画像を縮小した色分離サムネイル画像とを生成し、生成された色分離画像と色分離サムネイル画像とを表示部１４に表示させる優先色分離処理部１１ｃを備える。【選択図】図３
2010212840.tif 000002
【特許請求の範囲】
【請求項１】
印刷装置が第１の画像に基づいて第１色で印刷すると共に、第２の画像に基づいて第２色で印刷するために、前記第１の画像と前記第２の画像とを重ね合わせた色分離画像を生成する画像処理装置であって、
原稿画像のうちいずれか１つが選択された場合に、この選択された原稿画像に基づいて前記色分離画像を生成し、生成された色分離画像とこの色分離画像が生成されたことを示す識別標示とを表示部に表示させる優先色分離処理手段
を備えたことを特徴とする画像処理装置。
【請求項２】
前記原稿画像に基づいて、前記原稿画像を縮小した原稿サムネイル画像を生成し、生成された原稿サムネイル画像を表示部に一覧表示させるサムネイル生成表示手段、を更に備え、
前記優先色分離処理手段は、
前記サムネイル生成表示手段により一覧表示された原稿サムネイル画像のうちいずれか１つが選択された場合に、この選択された原稿サムネイル画像に対応する前記原稿画像に基づいて、前記色分離画像を生成し、生成された色分離画像とこの色分離画像が生成されたことを示す識別標示とを表示部に表示させる
ことを特徴とする請求項１記載の画像処理装置。
【請求項３】
印刷装置が第１の画像に基づいて第１色で印刷すると共に、第２の画像に基づいて第２色で印刷するために、前記第１の画像と前記第２の画像とを重ね合わせた色分離画像を生成する画像処理装置であって、
前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理手段と、
前記色分離処理手段による色分離処理の実行中に、前記原稿画像のうちいずれか１つが選択された場合に、前記色分離処理手段に色分離処理を中断させると共に、前記選択された原稿画像に基づいて、前記色分離画像を生成し、生成された色分離画像とこの色分離画像が生成されたことを示す識別標示とを表示部に表示させる優先色分離処理手段と、
を備えたことを特徴とする画像処理装置。
【請求項４】
前記原稿画像に基づいて、前記原稿画像を縮小した原稿サムネイル画像を生成し、生成された原稿サムネイル画像を表示部に一覧表示させるサムネイル生成表示手段、を更に備え、
前記優先色分離処理手段は、
前記色分離処理手段による色分離処理の実行中に、前記サムネイル生成表示手段により一覧表示された原稿サムネイル画像のうちいずれか１つが選択された場合に、前記色分離処理手段に色分離処理を中断させると共に、前記選択された原稿サムネイル画像に対応する前記原稿画像に基づいて、前記色分離画像を生成し、生成された色分離画像とこの色分離画像が生成されたことを示す識別標示とを表示部に表示させる
ことを特徴とする請求項３記載の画像処理装置。
【請求項５】
印刷装置が第１の画像に基づいて第１色で印刷すると共に、第２の画像に基づいて第２色で印刷するために、前記第１の画像と前記第２の画像とを重ね合わせた色分離画像を生成する画像処理装置であって、
前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理手段
を備えたことを特徴とする画像処理装置。
【請求項６】
前記色分離画像を編集する編集処理を実行する編集手段と、
前記編集手段による編集処理と、前記色分離処理手段による色分離処理とを並列に実行させる並列処理制御手段と、
を更に備えたことを特徴とする請求項３〜５のうちいずれか１項記載の画像処理装置。
【請求項７】
印刷装置が第１の画像に基づいて第１色で印刷すると共に、第２の画像に基づいて第２色で印刷するために、前記第１の画像と前記第２の画像とを重ね合わせた色分離画像を生成する画像処理装置に実行させるための画像処理プログラムであって、
原稿画像のうちいずれか１つが選択された場合に、この選択された原稿画像に基づいて前記色分離画像を生成し、生成された色分離画像とこの色分離画像が生成されたことを示す識別標示とを表示部に表示させる優先色分離処理ステップ
を前記画像処理装置に実行させるための画像処理プログラム。
【請求項８】
前記原稿画像に基づいて、前記原稿画像を縮小した原稿サムネイル画像を生成し、生成された原稿サムネイル画像を表示部に一覧表示させるサムネイル生成表示ステップ、を更に前記画像処理装置に実行させ、
前記優先色分離処理ステップは、
前記サムネイル生成表示ステップにより一覧表示された原稿サムネイル画像のうちいずれか１つが選択された場合に、この選択された原稿サムネイル画像に対応する前記原稿画像に基づいて、前記色分離画像を生成し、生成された色分離画像とこの色分離画像が生成されたことを示す識別標示とを表示部に表示させる
ことを特徴とする請求項７記載の画像処理プログラム。
【請求項９】
印刷装置が第１の画像に基づいて第１色で印刷すると共に、第２の画像に基づいて第２色で印刷するために、前記第１の画像と前記第２の画像とを重ね合わせた色分離画像を生成する画像処理装置に実行させるための画像処理プログラムであって、
前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理ステップと、
前記色分離処理ステップによる色分離処理の実行中に、前記原稿画像のうちいずれか１つが選択された場合に、前記色分離処理ステップに色分離処理を中断させると共に、前記選択された原稿画像に基づいて、前記色分離画像を生成し、生成された色分離画像とこの色分離画像が生成されたことを示す識別標示とを表示部に表示させる優先色分離処理ステップと、
を前記画像処理装置に実行させるための画像処理プログラム。
【請求項１０】
前記原稿画像に基づいて、前記原稿画像を縮小した原稿サムネイル画像を生成し、生成された原稿サムネイル画像を表示部に一覧表示させるサムネイル生成表示ステップ、を更に前記画像処理装置に実行させ、
前記優先色分離処理ステップは、
前記色分離処理ステップによる色分離処理の実行中に、前記サムネイル生成表示ステップにより一覧表示された原稿サムネイル画像のうちいずれか１つが選択された場合に、前記色分離処理ステップに色分離処理を中断させると共に、前記選択された原稿サムネイル画像に対応する前記原稿画像に基づいて、前記色分離画像を生成し、生成された色分離画像とこの色分離画像が生成されたことを示す識別標示とを表示部に表示させる
ことを特徴とする請求項９記載の画像処理プログラム。
【請求項１１】
印刷装置が第１の画像に基づいて第１色で印刷すると共に、第２の画像に基づいて第２色で印刷するために、前記第１の画像と前記第２の画像とを重ね合わせた色分離画像を生成する画像処理装置に実行させるための画像処理プログラムであって、
前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理ステップ
を前記画像処理装置に実行させるための画像処理プログラム。
【請求項１２】
前記色分離画像を編集する編集処理を実行する編集ステップと、
前記編集ステップによる編集処理と、前記色分離処理ステップによる色分離処理とを並列に実行させる並列処理制御ステップと、
を更に、前記画像処理装置に実行させることを特徴とする請求項９〜１１のうちいずれか１項記載の画像処理プログラム。
【発明の詳細な説明】
【技術分野】
【０００１】
本発明は、印刷装置が第１の画像に基づいて第１色で印刷すると共に、第２の画像に基づいて第２色で印刷するために、第１の画像と第２の画像とを重ね合わせた色分離画像を生成する画像処理装置及び画像処理プログラムに関する。
【背景技術】
【０００２】
一般的に、第１の画像に基づいて製版された第１の孔版原紙が巻装された第１のドラムと、第２の画像に基づいて製版された第２の孔版原紙が巻装された第２のドラムとを有し、第１のドラムに印刷用紙が圧接することにより、第１の画像を印刷用紙に転写させる共に、第２のドラムに印刷用紙が圧接することにより、第２の画像を印刷用紙に転写させる孔版印刷装置がよく知られている（例えば、特許文献１参照）。
【０００３】
そこで、特許文献２には、このような孔版印刷装置が印刷するために、原稿画像から第１の画像及び第２の画像を生成する画像情報処理装置に関する技術が記載されている。具体的には、画像情報処理装置は、原稿画像に含まれる構成要素同士が重なり合う場合においても、構成要素毎に色を割り当てることにより、原稿画像全てに対応する第１の画像及び第２の画像を生成し、生成した後に、これら第１の画像及び第２の画像を重ね合わせた色分離画像を画面に表示し、利用者操作に基づいて色分離画像を編集する。
【先行技術文献】
【特許文献】
【０００４】
【特許文献１】特開２００５−３１１７４８号公報
【特許文献２】特開２００６−５０１２０号公報
【発明の概要】
【発明が解決しようとする課題】
【０００５】
しかしながら、特許文献２に記載の画像情報処理装置では、原稿画像全てに対応する色分離画像を画面に表示するので、これらの処理が終了するまで相当の時間を有する。そのため、利用者が色分離画像の編集操作を行うまでの時間が長く、利用者にとってストレスとなっていた。
【０００６】
本発明は、上記課題に鑑みてなされたものであり、利用者が色分離画像に対して編集操作を行うまでの時間を短縮することができる画像処理装置及び画像処理プログラムを提供することを目的とする。
【課題を解決するための手段】
【０００７】
上記目的を達成するため、本発明に係る画像処理装置の第１の特徴は、印刷装置が第１の画像に基づいて第１色で印刷すると共に、第２の画像に基づいて第２色で印刷するために、前記第１の画像と前記第２の画像とを重ね合わせた色分離画像を生成する画像処理装置であって、原稿画像のうちいずれか１つが選択された場合に、この選択された原稿画像に基づいて前記色分離画像を生成し、生成された色分離画像とこの色分離画像が生成されたことを示す識別標示とを表示部に表示させる優先色分離処理手段を備えたことにある。
【０００８】
上記目的を達成するため、本発明に係る画像処理装置の第２の特徴は、前記原稿画像に基づいて、前記原稿画像を縮小した原稿サムネイル画像を生成し、生成された原稿サムネイル画像を表示部に一覧表示させるサムネイル生成表示手段、を更に備え、前記優先色分離処理手段は、前記サムネイル生成表示手段により一覧表示された原稿サムネイル画像のうちいずれか１つが選択された場合に、この選択された原稿サムネイル画像に対応する前記原稿画像に基づいて、前記色分離画像を生成し、生成された色分離画像とこの色分離画像が生成されたことを示す識別標示とを表示部に表示させることにある。
【０００９】
上記目的を達成するため、本発明に係る画像処理装置の第３の特徴は、印刷装置が第１の画像に基づいて第１色で印刷すると共に、第２の画像に基づいて第２色で印刷するために、前記第１の画像と前記第２の画像とを重ね合わせた色分離画像を生成する画像処理装置であって、前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理手段と、前記色分離処理手段による色分離処理の実行中に、前記原稿画像のうちいずれか１つが選択された場合に、前記色分離処理手段に色分離処理を中断させると共に、前記選択された原稿画像に基づいて、前記色分離画像を生成し、生成された色分離画像とこの色分離画像が生成されたことを示す識別標示とを表示部に表示させる優先色分離処理手段とを備えたことにある。
【００１０】
上記目的を達成するため、本発明に係る画像処理装置の第４の特徴は、前記原稿画像に基づいて、前記原稿画像を縮小した原稿サムネイル画像を生成し、生成された原稿サムネイル画像を表示部に一覧表示させるサムネイル生成表示手段、を更に備え、前記優先色分離処理手段は、前記色分離処理手段による色分離処理の実行中に、前記サムネイル生成表示手段により一覧表示された原稿サムネイル画像のうちいずれか１つが選択された場合に、前記色分離処理手段に色分離処理を中断させると共に、前記選択された原稿サムネイル画像に対応する前記原稿画像に基づいて、前記色分離画像を生成し、生成された色分離画像とこの色分離画像が生成されたことを示す識別標示とを表示部に表示させることにある。
【００１１】
上記目的を達成するため、本発明に係る画像処理装置の第５の特徴は、印刷装置が第１の画像に基づいて第１色で印刷すると共に、第２の画像に基づいて第２色で印刷するために、前記第１の画像と前記第２の画像とを重ね合わせた色分離画像を生成する画像処理装置であって、前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理手段を備えたことにある。
【００１２】
上記目的を達成するため、本発明に係る画像処理装置の第６の特徴は、前記色分離画像を編集する編集処理を実行する編集手段と、前記編集手段による編集処理と、前記色分離処理手段による色分離処理とを並列に実行させる並列処理制御手段とを更に備えたことにある。
【００１３】
上記目的を達成するため、本発明に係る画像処理プログラムの第１の特徴は、印刷装置が第１の画像に基づいて第１色で印刷すると共に、第２の画像に基づいて第２色で印刷するために、前記第１の画像と前記第２の画像とを重ね合わせた色分離画像を生成する画像処理装置に実行させるための画像処理プログラムであって、原稿画像のうちいずれか１つが選択された場合に、この選択された原稿画像に基づいて前記色分離画像を生成し、生成された色分離画像とこの色分離画像が生成されたことを示す識別標示とを表示部に表示させる優先色分離処理ステップを前記画像処理装置に実行させることにある。
【００１４】
上記目的を達成するため、本発明に係る画像処理プログラムの第２の特徴は、前記原稿画像に基づいて、前記原稿画像を縮小した原稿サムネイル画像を生成し、生成された原稿サムネイル画像を表示部に一覧表示させるサムネイル生成表示ステップ、を更に前記画像処理装置に実行させ、前記優先色分離処理ステップは、前記サムネイル生成表示ステップにより一覧表示された原稿サムネイル画像のうちいずれか１つが選択された場合に、この選択された原稿サムネイル画像に対応する前記原稿画像に基づいて、前記色分離画像を生成し、生成された色分離画像とこの色分離画像が生成されたことを示す識別標示とを表示部に表示させることにある。
【００１５】
上記目的を達成するため、本発明に係る画像処理プログラムの第３の特徴は、印刷装置が第１の画像に基づいて第１色で印刷すると共に、第２の画像に基づいて第２色で印刷するために、前記第１の画像と前記第２の画像とを重ね合わせた色分離画像を生成する画像処理装置に実行させるための画像処理プログラムであって、前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理ステップと、前記色分離処理ステップによる色分離処理の実行中に、前記原稿画像のうちいずれか１つが選択された場合に、前記色分離処理ステップに色分離処理を中断させると共に、前記選択された原稿画像に基づいて、前記色分離画像を生成し、生成された色分離画像とこの色分離画像が生成されたことを示す識別標示とを表示部に表示させる優先色分離処理ステップとを前記画像処理装置に実行させることにある。
【００１６】
上記目的を達成するため、本発明に係る画像処理プログラムの第４の特徴は、前記原稿画像に基づいて、前記原稿画像を縮小した原稿サムネイル画像を生成し、生成された原稿サムネイル画像を表示部に一覧表示させるサムネイル生成表示ステップ、を更に前記画像処理装置に実行させ、前記優先色分離処理ステップは、前記色分離処理ステップによる色分離処理の実行中に、前記サムネイル生成表示ステップにより一覧表示された原稿サムネイル画像のうちいずれか１つが選択された場合に、前記色分離処理ステップに色分離処理を中断させると共に、前記選択された原稿サムネイル画像に対応する前記原稿画像に基づいて、前記色分離画像を生成し、生成された色分離画像とこの色分離画像が生成されたことを示す識別標示とを表示部に表示させることにある。
【００１７】
上記目的を達成するため、本発明に係る画像処理プログラムの第５の特徴は、印刷装置が第１の画像に基づいて第１色で印刷すると共に、第２の画像に基づいて第２色で印刷するために、前記第１の画像と前記第２の画像とを重ね合わせた色分離画像を生成する画像処理装置に実行させるための画像処理プログラムであって、前記原稿画像に基づいて、前記原稿画像の先頭頁から順次頁毎に、前記色分離画像を生成すると共に、生成された色分離画像とこの色分離画像が生成されたことを示す識別標示とを表示部に表示させる色分離処理を実行する色分離処理ステップを前記画像処理装置に実行させることにある。
【００１８】
上記目的を達成するため、本発明に係る画像処理プログラムの第６の特徴は、前記色分離画像を編集する編集処理を実行する編集ステップと、前記編集ステップによる編集処理と、前記色分離処理ステップによる色分離処理とを並列に実行させる並列処理制御ステップと、を更に、前記画像処理装置に実行させることにある。
【発明の効果】
【００１９】
本発明に係る画像処理装置及び画像処理プログラムによれば、利用者が色分離画像に対して編集操作を行うまでの時間を短縮することができる。
【図面の簡単な説明】
【００２０】
【図１】本発明の一実施形態である画像処理装置が適用された印刷システムの構成を示した構成図である。
【図２】本発明の一実施形態である画像処理装置の構成を示した構成図である。
【図３】本発明の一実施形態である画像処理装置が備えるＣＰＵについて説明した図である。
【図４】本発明の一実施形態である画像処理装置における処理手順を示したフローチャートである。
【図５】本発明の一実施形態である画像処理装置が備える色分離処理部により表示部に表示された編集画面の一例を示した図である。
【図６】本発明の一実施形態である画像処理装置が備える色分離処理部により表示部に表示された編集画面の一例を示した図である。
【発明を実施するための形態】
【００２１】
以下、本発明の実施の形態を、図面を参照しながら詳細に説明する。
【００２２】
本発明の一実施形態では、２色のインクを用いて印刷可能な孔版印刷装置と、孔版印刷装置に印刷させるために、２色それぞれの画像を生成する画像処理装置とを備える印刷システムを例に挙げて説明する。
【００２３】
＜印刷システムの構成＞
図１は、本発明の一実施形態である画像処理装置が適用された印刷システムの構成を示した構成図である。
【００２４】
図１に示すように、印刷システム１０は、画像処理装置１と、孔版印刷装置２とを備えており、画像処理装置１と孔版印刷装置２とは、ネットワーク５を介して接続されている。
【００２５】
画像処理装置１は、原稿画像に基づいて、第１の画像と第２の画像とを重ね合わせた色分離画像を生成し、生成した色分離画像をネットワーク５を介して孔版印刷装置２へ送信する。ここで、一般的な孔版印刷装置が、第１の画像に基づいて第１色で印刷すると共に、第２の画像に基づいて第２色で印刷するために生成される色分離画像は、一般的に分版画像ともいわれている。なお、画像処理装置１の構成については、後述する。
【００２６】
孔版印刷装置２は、製版部２ａと、第１のドラム２ｂと、第２のドラム２ｃと、給紙部２ｄと、中間搬送部２ｅと、排紙部２ｆとを備えている。
【００２７】
孔版印刷装置２は、画像処理装置１からネットワーク５を介して色分離画像を受信すると、この受信した色分離画像から第１色目の画像データ（第１の画像）と、第２色目の画像データ（第２の画像）とを分離する。そして、孔版印刷装置２の製版部２ａは、第１の画像に基づいて第１の孔版原紙を製版し、この製版された第１の孔版原紙を回転する第１のドラム２ｂに巻装する。同様に、製版部２ａは、第２の画像に基づいて第２の孔版原紙を製版し、この製版された第２の孔版原紙を回転する第２のドラム２ｃに巻装する。
【００２８】
そして、給紙部２ｄにより印刷用紙が回転する第１のドラム２ｂに給紙されると、第１のドラム２ｂに巻装された第１の孔版原紙に印刷用紙が圧接されると共に、第１のドラム２ｂの内部から第１の孔版原紙に第１色目のインクが供給されることにより、第１の孔版原紙に製版された第１の画像が印刷画像として印刷用紙に転写されて中間印刷物が生成される。
【００２９】
次に、第１の画像が転写された中間印刷物は、中間搬送部２ｅにより第２のドラム２ｃに給紙され、回転する第２のドラム２ｃに巻装された第２の孔版原紙に中間印刷物が圧接されると共に、第２のドラム２ｃの内部から第２の孔版原紙に第２色目のインクが供給されることにより、第２の孔版原紙に製版された第２の画像が印刷画像として中間印刷物に転写される。そして、第２の画像が転写された印刷物３は排紙部２ｆにより排出される。これにより、孔版印刷装置２は、２色刷りの印刷物３を生成することができる。
【００３０】
＜画像処理装置１の構成＞
次に、本発明の一実施形態である画像処理装置１の構成について詳細に説明する。
【００３１】
図２は、本発明の一実施形態である画像処理装置１の構成を示した構成図である。
【００３２】
図２に示すように、画像処理装置１は、ＣＰＵ１１と、メモリ１２と、入力部１３と、表示部１４と、印刷インタフェース部１５と、ハードディスク１６とを備えており、それぞれは、バス２０を介して接続されている。
【００３３】
メモリ１２は、揮発性半導体等で構成され、ＣＰＵ１１のワーク領域をとして機能し、ＣＰＵ１１が各種処理を実行する上で必要なプログラムやデータを記憶する。例えば、メモリ１２は、後述するＣＰＵ１１により生成された原稿画像、原稿サムネイル画像、及び色分離サムネイル画像等を記憶する。
【００３４】
入力部１３は、マウスやキーボード等の入力部を備えており、利用者の操作に基づいて、操作信号を生成してＣＰＵ１１へ供給する。
【００３５】
表示部１４は、有機ＥＬ（electroluminescence）ディスプレイや、液晶ディスプレイ等の画像出力部を備え、ＣＰＵ１１から供給された出力信号に基づいて、編集画面等の画面を表示する。
【００３６】
印刷インタフェース部１５は、孔版印刷装置２との接続インタフェースであり、ＣＰＵ１１からの指示により、色分離画像を孔版印刷装置２へ送信する。
【００３７】
ハードディスク１６は、プログラム記憶部１６ａと、画像記憶部１６ｂとを備える。
【００３８】
プログラム記憶部１６ａは、文書作成ソフト又はイラスト作成ソフト等原稿画像を生成するための画像生成プログラム、画像処理装置１をコンピュータ上で実現するための画像処理プログラム、及びＯＳ（Operation System）等の各種プログラムを記憶する。
【００３９】
画像記憶部１６ｂは、原稿画像及び色分離画像を記憶する。ここで、原稿画像とは、後述するＣＰＵ１１又は他のコンピュータにより、様々な画像生成プログラムを用いて生成された画像である。また、色分離画像とは、原稿画像に基づいて、後述するＣＰＵ１１により生成された第１の画像と第２の画像とが重ね合わされた画像である。
【００４０】
ＣＰＵ１１は、画像処理装置１の中枢的な制御を行う。また、ＣＰＵ１１は、ハードディスク１６のプログラム記憶部１６ａに記憶された画像処理プログラムを実行することにより、その機能上、サムネイル生成表示部１１ａと、色分離処理部１１ｂと、優先色分離処理部１１ｃと、編集部１１ｄと、並列処理制御部１１ｅとを実装する。
【００４１】
図３は、本発明の一実施形態である画像処理装置１が備えるＣＰＵ１１について説明した図である。
【００４２】
サムネイル生成表示部１１ａは、原稿画像に基づいて、原稿画像を縮小した原稿サムネイル画像を生成し、生成された原稿サムネイル画像を表示部１４に一覧表示する。
【００４３】
色分離処理部１１ｂは、原稿画像に基づいて、原稿画像の先頭頁から順次頁毎に、識別標識として、色分離画像と色分離画像を縮小した色分離サムネイル画像とを生成すると共に、生成された色分離画像と色分離サムネイル画像とを表示部１４に表示させる色分離処理を実行する。
【００４４】
優先色分離処理部１１ｃは、色分離処理部１１ｂによる色分離処理の実行中に、サムネイル生成表示部１１ａにより一覧表示された原稿サムネイル画像のうちいずれか１つが選択された場合に、色分離処理部１１ｂに色分離処理を中断させると共に、選択された原稿サムネイル画像に対応する原稿画像に基づいて、色分離画像と色分離サムネイル画像とを生成し、生成された色分離画像と色分離サムネイル画像とを表示部１４に表示させる。
【００４５】
編集部１１ｄは、利用者操作に基づいて入力部１３により生成された操作信号が供給された場合に、この操作信号に基づいて、色分離画像を編集する編集処理を実行する。
【００４６】
並列処理制御部１１ｅは、編集部１１ｄによる編集処理と、色分離処理部１１ｂによる色分離処理とを並列に実行させる。具体的には、並列処理制御部１１ｅは、ＣＰＵ１１の処理時間を数十ミリ秒といった短い時間で区切り、編集処理及び色分離処理それぞれのタスク間で１つのＣＰＵ１１をタイムシェアリングすることによって、編集処理及び色分離処理を並列に実行する。
【００４７】
＜画像処理装置１の作用＞
次に、本発明の一実施形態である画像処理装置１の作用について説明する。
【００４８】
図４は、本発明の一実施形態である画像処理装置１における処理手順を示したフローチャートである。
【００４９】
図４に示すように、ＣＰＵ１１のサムネイル生成表示部１１ａは、原稿画像に基づいて、原稿画像の全ての頁について、原稿画像を縮小した原稿サムネイル画像を生成する（ステップＳ１０１）。ここで、原稿画像は、ハードディスク１６のプログラム記憶部１６ａに記憶された画像生成プログラムに基づいて、ＣＰＵ１１により生成され、メモリ１２のワーク領域に一時的に記憶されているものとする。
【００５０】
そして、サムネイル生成表示部１１ａは、ステップＳ１０１において生成された原稿サムネイル画像を表示部１４の編集画面に一覧表示させる（ステップＳ１０２）。
【００５１】
次に、ＣＰＵ１１は、カウンタＮの値に“１”を代入する（ステップＳ１０３）。
【００５２】
そして、ＣＰＵ１１の色分離処理部１１ｂは、第Ｎ頁目の色分離画像が、ハードディスク１６の画像記憶部１６ｂに記憶されているか否かを判定する（ステップＳ１０４）。
【００５３】
ステップＳ１０４において、第Ｎ頁目の色分離画像が画像記憶部１６ｂに記憶されていないと判定された場合（ＮＯの場合）、色分離処理部１１ｂは、色分離画像を生成する（ステップＳ１０５）。具体的には、色分離処理部１１ｂは、メモリ１２に一時的に記憶された第Ｎ頁目の原稿画像に基づいて第Ｎ頁目の色分離画像を生成する。色分離処理部１１ｂは、第Ｎ頁目の原稿画像に基づいて、孔版印刷装置２に備えられた第１のドラム２ｂに巻装される第１の孔版原紙を生成するための第１の画像と、第２のドラム２ｃに巻装される第２の孔版原紙を生成するための第２の画像とを生成し、この生成された第１の画像と第２の画像とを重ね合わせて、第Ｎ頁目の色分離画像を生成する。
【００５４】
そして、色分離処理部１１ｂは、第Ｎ頁目の原稿画像と、ステップＳ１０５において生成された第Ｎ頁目の色分離画像とを関連付けてハードディスク１６の画像記憶部１６ｂに一時的に記憶させる（ステップＳ１０６）。
【００５５】
次に、色分離処理部１１ｂは、ステップＳ１０５において生成した第Ｎ頁目の色分離画像に基づいて、第Ｎ頁目の色分離サムネイル画像とを生成する（ステップＳ１０７）。
【００５６】
そして、色分離処理部１１ｂは、第Ｎ頁目の原稿画像と、ステップＳ１０５において生成された第Ｎ頁目の色分離画像と、ステップＳ１０７において生成された第Ｎ頁目の色分離サムネイル画像とを表示部１４の編集画面上に表示させる（ステップＳ１０８）。ここで、ステップＳ１０４〜Ｓ１０８までの処理を色分離処理という。
【００５７】
図５は、本発明の一実施形態である画像処理装置１が備える色分離処理部１１ｂにより表示部１４に表示された編集画面の一例を示した図である。
【００５８】
図５に示すように、編集画面２０１には、原稿画像を表示する原稿画像表示エリア２０２と、色分離画像を表示する色分離画像表示エリア２０３と、原稿サムネイル画像を一覧表示する原稿サムネイル画像表示エリア２０４と、色分離サムネイル画像を一覧表示する色分離サムネイル画像表示エリア２０５と、編集メニューのアイコンを表示する編集メニュー表示エリア２０６と、原稿画像表示エリア２０２に表示された原稿画像のうち選択された部分に、色指定、用紙指定、又は画像の消去等の各種編集操作を行うためのボタンを表示する色指定表示エリア２０７とが表示されている。
【００５９】
図５に示す編集画面２０１において、原稿画像表示エリア２０２には先頭頁の原稿画像が表示されており、色分離画像表示エリア２０３にはステップＳ１０５において生成された先頭頁の色分離画像が表示されており、原稿サムネイル画像表示エリア２０４には、ステップＳ１０１において生成された原稿サムネイル画像が一覧表示されており、色分離サムネイル画像表示エリア２０５には、ステップＳ１０７において生成された色分離サムネイル画像が一覧表示されている。
【００６０】
このように、色分離処理部１１ｂは、原稿画像の先頭頁から第Ｎ頁まで、順次頁毎に色分離処理を実行するので、表示部１４の編集画面２０１上には、まず先頭頁の色分離画像が生成され、表示される。その後、色分離処理部１１ｂは、順次第２頁以降の色分離処理を頁毎に実行するので、利用者が、表示部１４に表示された色分離画像に対する編集操作を行うまでの時間を短縮することができる。
【００６１】
また、図５に示す編集画面２０１において、編集メニュー表示エリア２０６には、文字処理２０６ａと、写真処理２０６ｂと、イラスト処理２０６ｃと、逆光処理２０６ｄと、単色網点処理２０６ｅと、単色誤差拡散処理２０６ｆと、強制ベタ２０６ｇとが表示されている。
【００６２】
文字処理２０６ａは、色分離画像に含まれる文字に適したイメージ処理を実行するためのボタンであり、写真処理２０６ｂは、色分離画像に含まれる写真に適したイメージ処理を実行するためのボタンであり、イラスト処理２０６ｃは、色分離画像に含まれるイラストに適したイメージ処理を実行するためのボタンであり、逆光処理２０６ｄは、色分離画像に含まれる写真が逆光の写真である場合に鮮明に表示するためのボタンであり、単色網点処理２０６ｅは、色分離画像の色の濃さのグラデーションを鮮明に表示するためのボタンであり、単色誤差拡散処理２０６ｆは、色分離画像に含まれる写真等の細かい部分を鮮明に表示するためのボタンであり、強制ベタ２０６ｇは、色分離画像に含まれる文字や罫線などを鮮明に表示するためのボタンである。
【００６３】
このように、編集メニュー表示エリア２０６に表示された各種ボタン、又は色指定表示エリア２０７に表示された各種ボタンが、色分離処理部１１ｂによる色分離処理中に、利用者により押下操作されることにより、ＣＰＵ１１の並列処理制御部１１ｅは、編集部１１ｄによる編集処理と、色分離処理部１１ｂによる色分離処理とを並列に実行させる。具体的には、並列処理制御部１１ｅは、編集部１１ｄによる色分離画像に対して押下操作されたボタンに応じた処理を実行する編集処理と、色分離処理部１１ｂによる色分離処理とを、タイムシェアリングにより並列に実行させる。
【００６４】
次に、図４に示すように、ＣＰＵ１１の優先色分離処理部１１ｃは、サムネイル生成表示部１１ａにより表示部１４の編集画面２０１に一覧表示された原稿サムネイル画像のうちいずれか１つが選択されたか否かを判定する（ステップＳ１０９）。
【００６５】
ステップＳ１０９において、表示部１４の編集画面２０１に一覧表示された原稿サムネイル画像のうちいずれか１つが選択されたと判定された場合（ＹＥＳの場合）、ＣＰＵ１１の優先色分離処理部１１ｃは、選択された原稿サムネイル画像に対応する色分離画像が、ハードディスク１６の画像記憶部１６ｂに記憶されているか否かを判定する（ステップＳ１１０）。
【００６６】
ステップＳ１１０において、原稿サムネイル画像に対応する色分離画像が画像記憶部１６ｂに記憶されていないと判定された場合（ＮＯの場合）、優先色分離処理部１１ｃは、色分離画像を生成する（ステップＳ１１１）。具体的には、優先色分離処理部１１ｃは、選択された原稿サムネイル画像に対応する原稿画像（選択原稿画像）に基づいて、選択された色分離画像（選択色分離画像）を生成する。
【００６７】
そして、優先色分離処理部１１ｃは、選択原稿画像と、ステップＳ１１１において生成された選択色分離画像とを関連付けてハードディスク１６の画像記憶部１６ｂに一時的に記憶させる（ステップＳ１１２）。
【００６８】
次に、優先色分離処理部１１ｃは、ステップＳ１１２において生成された選択色分離画像に基づいて、選択色分離画像に対応する色分離サムネイル画像を、選択色分離サムネイル画像として生成する（ステップＳ１１３）。
【００６９】
そして、優先色分離処理部１１ｃは、選択原稿画像と、ステップＳ１１１において生成された選択色分離画像と、ステップＳ１１３において生成された選択色分離サムネイル画像とを表示部１４の編集画面２０１上に表示させる（ステップＳ１１４）。ここで、ステップＳ１０９〜Ｓ１１４までの処理を優先色分離処理という。
【００７０】
次に、ＣＰＵ１１は、カウンタＮの値が、原稿画像の総頁数Ｍ以上か否かを判定する（ステップＳ１１５）。
【００７１】
ステップＳ１１５において、カウンタＮの値が原稿画像の総頁数Ｍ以上であると判定された場合（ＹＥＳの場合）、処理を終了し、カウンタＮの値が原稿画像の総頁数Ｍ未満であると判定された場合（ＮＯの場合）、カウンタＮの値に“１”だけ加算した後（ステップＳ１１６）、処理をステップＳ１０４へ移行する。
【００７２】
以上のように、本発明の一実施形態である画像処理装置１によれば、原稿画像に基づいて、原稿画像の先頭頁から順次頁毎に、色分離画像と色分離画像を縮小した色分離サムネイル画像とを生成すると共に、生成された色分離画像と色分離サムネイル画像とを表示部１４に表示させる色分離処理を実行する色分離処理部１１ｂとを備えているので、先頭頁の色分離画像が表示部１４の編集画面２０１上に表示されるまでの時間、即ち、利用者が色分離画像に対して編集操作を行うまでまでの時間を短縮することができ、利用者にとって待ち時間によるストレスを低減することができる。
【００７３】
また、本発明の一実施形態である画像処理装置１によれば、原稿画像に基づいて、原稿画像を縮小した原稿サムネイル画像を生成し、生成された原稿サムネイル画像を表示部１４に一覧表示するサムネイル生成表示部１１ａと、色分離処理部１１ｂによる色分離処理の実行中に、サムネイル生成表示部１１ａにより一覧表示された原稿サムネイル画像のうちいずれか１つが選択された場合に、色分離処理部１１ｂに色分離処理を中断させると共に、選択された原稿サムネイル画像に対応する原稿画像に基づいて、色分離画像と色分離サムネイル画像とを生成し、生成された色分離画像と色分離サムネイル画像とを表示部１４に表示させる優先色分離処理部１１ｃとを備えているので、選択された色分離画像が表示部１４の編集画面２０１上に表示されるまでの時間、即ち、利用者が所望の色分離画像に対して編集操作を行うまでの時間を短縮することができ、利用者にとって待ち時間によるストレスを低減することができる。
【００７４】
さらに、本発明の一実施形態である画像処理装置１によれば、編集部１１ｄによる編集処理と、色分離処理部１１ｂによる色分離処理とを並列に実行させる並列処理制御部１１ｅを備えているので、利用者が編集操作を行っている時間に色分離処理を終了することができる。これにより、利用者が、ある色分離画像に対して編集操作を行った後、他の色分離画像に対して編集操作を行う場合においても、他の色分離画像を直ちに表示部１４に表示することができるので、利用者にとって待ち時間によるストレスを低減することができる。
【００７５】
なお、本発明の一実施形態である画像処理装置１では、並列処理制御部１１ｅは、１つのＣＰＵ１１をタイムシェアリングすることによって、編集処理及び色分離処理を並列に実行するようにしたが、これに限らず、複数のＣＰＵ備え、それぞれのＣＰＵが、編集処理又は色分離処理を実行することにより、編集処理及び色分離処理を並列に実行するようにしてもよい。
【００７６】
また、本発明の一実施形態である画像処理装置１では、優先色分離処理部１１ｃが、色分離処理部１１ｂによる色分離処理の実行中に、サムネイル生成表示部１１ａにより一覧表示された原稿サムネイル画像のうちいずれか１つが選択された場合に、色分離処理部１１ｂに色分離処理を中断させると共に、選択された原稿サムネイル画像に対応する原稿画像に基づいて、色分離画像と色分離サムネイル画像とを生成し、生成された色分離画像と色分離サムネイル画像とを表示部１４に表示させる構成としたがこれに限らない。例えば、色分離処理部１１ｂによる色分離処理の実行中に、利用者操作に基づいて、入力部１３から原稿画像の頁を指定する操作信号が供給された場合に、色分離処理部１１ｂに色分離処理を中断させると共に、供給された操作信号に基づいて、指定された頁の原稿画像に基づいて、色分離画像と色分離サムネイル画像とを生成し、生成された色分離画像と色分離サムネイル画像とを表示部１４に表示させるようにしてもよい。
【００７７】
図６は、本発明の一実施形態である画像処理装置１が備える色分離処理部１１ｂにより表示部１４に表示された編集画面の一例を示した図である。
【００７８】
図６に示すように、編集画面２０１には、メニュー２０８として、“ファイル（Ｆ）”、“編集（Ｅ）”、“表示（Ｖ）”、“ツール（Ｔ）”、“設定（Ｓ）”、“その他（Ａ）”の項目が表示されており、利用者の操作により、いずれか１つが選択されると、選択されたメニューに対応するサブメニューが表示される。
【００７９】
例えば、図６に示すように、“表示（ｖ）”が選択されると、サブメニュー２０８ａが表示され、このサブメニュー２０８ａのいずれか１つが選択されると、更に下位層のサブメニュー２０８ｂとして、“標準ツール”、“表示ツール”、及び“ページ選択ツール”が表示されている。
【００８０】
そして、利用者の操作により“ページ選択ツール”が選択されると、ページ選択ツール２０９が表示される。
【００８１】
ページ選択ツール２０９は、先頭頁を指定するための先頭頁選択ボタン２０９ａと、現在表示されている頁の１つ前の頁を指定するための前頁指定ボタン２０９ｂと、指定頁を入力するための指定頁入力ボックス２０９ｃと、現在表示されている頁の１つ後の頁を指定するための後頁指定ボタン２０９ｄと、最終頁を指定するための最終頁選択ボタン２０９ｅと、指定された頁を確定するための確定ボタン２０９ｆとを備える。
【００８２】
例えば、利用者により、前頁指定ボタン２０９ｂが押下操作されると、現在表示されている頁の１つ前の頁が、指定頁入力ボックス２０９ｃに表示される。
【００８３】
そして、利用者により、先頭頁選択ボタン２０９ａ、前頁指定ボタン２０９ｂ、後頁指定ボタン２０９ｄ、及び最終頁選択ボタン２０９ｅのうち少なくともいずれか１つが押下操作され、又は利用者により、指定頁入力ボックス２０９ｃに入力操作されると、指定頁入力ボックス２０９ｃに指定の頁が表示される。
【００８４】
次に、利用者により、確定ボタン２０９ｆが押下操作されると、入力部１３がこの原稿画像の頁を指定する操作信号をＣＰＵ１１に供給する。操作信号が供給されると、ＣＰＵ１１の優先色分離処理部１１ｃが、色分離処理部１１ｂに色分離処理を中断させると共に、供給された操作信号に基づいて、指定された頁の原稿画像に基づいて、色分離画像と色分離サムネイル画像とを生成し、生成された色分離画像と色分離サムネイル画像とを表示部１４に表示させる。
【００８５】
これにより、利用者は、様々の方法で、色分離処理を優先的に実行させたい原稿画像の選択操作を行うことができる。
【００８６】
また、本発明の一実施形態である画像処理装置１が備える色分離処理部１１ｂは、原稿画像に基づいて、原稿画像の先頭頁から順次頁毎に、色分離画像と色分離画像を縮小した色分離サムネイル画像とを生成すると共に、生成された色分離画像と表示部１４に表示させる共に、識別標識として、生成された色分離サムネイル画像を表示部１４に表示させる色分離処理を実行したが、これに限らない。
【００８７】
例えば、色分離処理部１１ｂは、原稿画像に基づいて、原稿画像の先頭頁から順次頁毎に、識別標識として、色分離画像を生成すると共に、生成された色分離画像と、色分離画像が生成されたことを示す識別標識として、図６に示すように、生成チェックボックス２１０を表示部１４に表示するようにしてもよい。
【００８８】
この生成チェックボックス２１０は、色分離画像が生成されると、チェック表示される。
【００８９】
また、本発明の一実施形態では、第１のドラム２ｂと第２のドラム２ｃとを備え、２色のインクを用いて印刷可能な２ドラム式の孔版印刷装置２を備える印刷システム１０を例に挙げて説明したが、これに限らず、１ドラム式の孔版印刷装置を備える構成としてもよい。この場合、１ドラム式の孔版印刷装置は、画像処理装置１からネットワーク５を介して色分離画像を受信すると、この受信した色分離画像から第１色目の画像データ（第１の画像）と、第２色目の画像データ（第２の画像）とを分離する。
【００９０】
次に、孔版印刷装置の製版部は、第１の画像に基づいて第１の孔版原紙を製版し、この製版された第１の孔版原紙を回転する第１のドラム２ｂに巻装し、第１の画像を印刷する。そして、利用者により第１のドラム２ｂが抜き出され、第２のドラム２ｃが装着された後、同様に、製版部は、第２の画像に基づいて第２の孔版原紙を製版し、この製版された第２の孔版原紙を回転する第２のドラム２ｃに巻装し、第２の画像を印刷するようにしてもよい。
【００９１】
さらに、これに限らず、印刷システム１０は、インクジェット式の印刷装置を備える構成としてもよい。この場合、インクジェット式の印刷装置は、同様に、画像処理装置１からネットワーク５を介して色分離画像を受信すると、この受信した色分離画像から第１色目の画像データ（第１の画像）と、第２色目の画像データ（第２の画像）とを分離し、第１の画像に基づいて、第１のインクを吐出して印刷する共に、第２の画像に基づいて、第２のインクを吐出して印刷するようにしてもよい。
【００９２】
また、本発明の一実施形態では、第１の画像に基づいて第１色で印刷すると共に、第２の画像に基づいて第２色で印刷する２色刷りの孔版印刷装置２とネットワーク５介して接続され、原稿画像に基づいて分版画像を生成する画像処理装置１を例に挙げて説明したが、これに限らず、例えば、ＵＳＢ（Universal Serial Bus）メモリ等で構成された外部メモリが接続可能な外部メモリ読み取り部を有し、生成した色分離画像をこの外部メモリを介して、孔版印刷装置２に供給するようにしてもよい。
【００９３】
さらに、本発明の一実施形態である画像処理装置１では、ハードディスク１６が、画像記憶部１６ｂを備える構成としたが、これに限らず、メモリ１２が、画像記憶部１６ｂを備える構成としてもよい。
【符号の説明】
【００９４】
１…画像処理装置
２…孔版印刷装置
２ａ…製版部
２ｂ…第１のドラム
２ｃ…第２のドラム
２ｄ…給紙部
２ｅ…中間搬送部
２ｆ…排紙部
１０…印刷システム
１１…ＣＰＵ
１１ａ…サムネイル生成表示部
１１ｂ…色分離処理部
１１ｃ…優先色分離処理部
１１ｄ…編集部
１１ｅ…並列処理制御部
１２…メモリ
１３…入力部
１４…表示部
１５…印刷インタフェース部
１６…ハードディスク
１６ａ…プログラム記憶部
１６ｂ…画像記憶部
【図１】
2010212840.tif 000003
【図２】
2010212840.tif 000004
【図３】
2010212840.tif 000005
【図４】
2010212840.tif 000006
【図５】
2010212840.tif 000007
【図６】
2010212840.tif 000008